(57)【要約】【課題】簡単な方法で、現在の電力使用量を確認できる。【解決手段】消費電力量データ生成ユニット１１で電力量計７又は分電盤８に接続され、現在の消費電力量を示す消費電力量データを生成し、生成した消費電力量データをアダプタ３１に送信し、コンセント２１ａに設けられ、このコンセント２１ａに接続されたテレビジョン受像機４１に電力を供給するアダプタ３１で、消費電力量データ生成ユニット１１から送信された消費電力量データを受信し、アダプタ３１で受信した消費電力量データに基づいたビデオデータを生成し、アダプタ３１で生成したビデオデータをテレビジョン受像機４１に出力し、テレビジョン受像機４１に、消費電力量を表示できるようにする。【選択図】図２
2008216243.tif 000002
【特許請求の範囲】
【請求項１】
電力供給部に接続され、現在の消費電力量を示す消費電力量データをデータ生成部で生成し、生成した消費電力量データを送信部より送信する消費電力量データ生成ユニットと、
上記電力供給部と屋内配線を介して接続されたコンセントに接続され、上記消費電力量データ生成ユニットから送信された消費電力量データを受信するアダプタとを備え、
上記アダプタは、上記消費電力量データ生成ユニットから送信された消費電力量データを受信する受信部と、この受信部で受信した消費電力量データに基づいてビデオデータを生成するビデオ生成部と、このビデオ生成部で生成されたビデオデータを表示装置のビデオ入力部に出力するビデオ出力部とを有し、上記表示装置に、消費電力量を表示できるようにした消費電力表示システム。
【請求項２】
上記消費電力量データ生成ユニットは、上記電力供給部となる各住宅への引込口配線に接続された電力量計又は住宅の分電盤に設けられ、
上記アダプタは、上記コンセントに着脱可能であり、上記コンセントの挿入孔に差し込まれるプラグと、このプラグと接続され上記表示装置のプラグが差し込まれる挿入孔とを有し、この挿入孔に接続された表示装置に電力を供給できるようにしたことを特徴とする請求項１記載の消費電力表示システム。
【請求項３】
上記消費電力量データ生成ユニットは、更に、上記消費電力量データを積算して、積算消費電力量データを、上記送信部より上記アダプタに送信し、
上記アダプタは、上記ビデオ生成部で、上記積算消費電力量データに基づいてビデオデータを生成し、上記消費電力量データと共に上記表示装置で表示されるようにしたことを特徴とする請求項１又は請求項２記載の消費電力表示システム。
【請求項４】
上記消費電力量データ生成ユニットは、更に、温度検出部を有し、この温度検出部で検出された温度データを、上記送信部より上記アダプタに送信し、
上記アダプタでは、上記ビデオ生成部で、上記温度データに基づいてビデオデータを生成し、上記消費電力量データと共に上記表示装置に表示されるようにしたことを特徴とする請求項１乃至請求項３の内何れか１項記載の消費電力表示システム。
【請求項５】
上記ビデオ生成部は、アナログのビデオデータを生成することを特徴とする請求項１乃至請求項４の内何れか１項記載の消費電力表示システム。
【請求項６】
上記消費電力量データ生成ユニットと上記アダプタとの間のデータ通信は、省電力の短距離無線通信で行われることを特徴とする請求項１乃至請求項５の内何れか１項記載の消費電力表示システム。
【請求項７】
上記消費電力量データ生成ユニットは、上記送信部より上記消費電力量データに加え、電流値データを上記アダプタ装置に送信することを特徴とする請求項１記載の消費電力表示システム。
【請求項８】
上記アダプタは、更に、設定された消費電力量の消費電力目標値を格納する設定メモリを有し、
上記ビデオ生成部で、この消費電力目標値に基づいたビデオデータを生成し、上記消費電力量データと共に上記表示装置に表示されるようにしたことを特徴とする請求項７記載の消費電力表示システム。
【請求項９】
上記設定メモリには、更に、ピーク電流設定値が格納され、
上記アダプタは、更に、上記消費電力量データ生成ユニットから送信された電流値データの上記ピーク電流設定値に対する割合に応じて警告を行う警告部を有することを特徴とする請求項８の消費電力表示システム。
【請求項１０】
上記アダプタは、更に、過去の電流値データと消費電力量データとを時刻データに関連付けて格納する履歴メモリと、
消費電力量データを過去の消費電力量データと比較する比較データを生成する比較部とを有し、
上記ビデオ生成部で、この比較データに基づいたビデオデータを生成し、上記消費電力量データと共に上記表示装置に表示されるようにしたことを特徴とする請求項７乃至請求項９の内何れか１項記載の消費電力表示システム。
【請求項１１】
上記アダプタは、電気料金体系データを格納する料金体系メモリと、
上記料金体系メモリの電気料金体系データと消費電力量データに従って電気料金データを算出する料金算出手段とを有し、
上記ビデオ生成部で、この電気料金データに基づいたビデオデータを生成し、上記消費電力量データと共に上記表示装置に表示されるようにしたことを特徴とする請求項７乃至請求項１０の内何れか１項記載の消費電力表示システム。
【請求項１２】
上記アダプタは、更に、温度検出部を有し、
上記ビデオ生成部で、この温度検出部で検出された温度データに基づいてビデオデータを生成し、上記消費電力量データと共に上記表示装置に表示されるようにしたことを特徴とする請求項１，請求項７乃至請求項１１の内何れか１項記載の消費電力表示システム。
【請求項１３】
上記アダプタは、更に、消費電力量データに基づく二酸化炭素の排出量データを算出する算出部を有し、
上記ビデオ生成部で、この算出部で算出された二酸化炭素の排出量データに基づいてビデオデータを生成し、上記消費電力量データと共に上記表示装置に表示されるようにしたことを特徴とする請求項１，請求項７乃至請求項１２の内何れか１項記載の消費電力表示システム。
【請求項１４】
電力供給部に接続された消費電力量データ生成ユニットで現在の消費電力量を示す消費電力量データを生成するステップと、
上記生成した消費電力量データをコンセントに接続されたアダプタに送信するステップと、
上記アダプタで上記消費電力量データ生成ユニットから送信された消費電力量データを受信するステップと、
上記アダプタで受信した消費電力量データに基づいたビデオデータを生成するステップと、
上記アダプタで生成したビデオデータを表示装置に出力し、この表示装置に、消費電力量を表示できるようにするステップとを有する消費電力表示方法。
【請求項１５】
更に、上記消費電力量データを積算して積算消費電力量データを生成するステップと、
上記積算消費電力量データを上記アダプタに送信するステップと、
上記アダプタで受信した積算消費電力量データに基づいたビデオデータを生成するステップと、
上記アダプタで生成したビデオデータを上記表示装置に出力し、上記表示装置に、上記消費電力量データと共に積算消費電力量データを表示できるようにするステップとを有する請求項１４記載の消費電力表示方法。
【請求項１６】
更に、温度検出部の取付場所の温度を検出して温度データを上記アダプタに送信するステップと、
上記アダプタで受信した温度データに基づいたビデオデータを生成するステップと、
上記アダプタで生成したビデオデータを上記表示装置に出力し、上記表示装置に、上記消費電力量と共に温度データを表示できるようにするステップとを有する請求項１３又は請求項１５記載の消費電力表示方法。
【請求項１７】
上記ビデオデータは、アナログのビデオデータであることを特徴とする請求項１４乃至請求項１６の内何れか１項記載の消費電力表示方法。
【請求項１８】
上記消費電力量データ生成ユニットと上記アダプタとの間のデータ通信は、省電力の短距離無線通信で行われることを特徴とする請求項１４乃至請求項１７の内何れか１項記載の消費電力表示方法。
【請求項１９】
更に、上記消費電力量データ生成ユニットが上記消費電力量データに加え、電流値データを上記アダプタ装置に送信することを特徴とする請求項１４記載の消費電力表示方法。
【請求項２０】
上記アダプタの設定メモリに設定された消費電力量の消費電力目標値に基づいたビデオデータを生成するステップと、
上記消費電力量データと共に上記表示装置に出力し上記表示装置に表示されるようにするステップを有することを特徴とする請求項１９記載の消費電力表示方法。
【請求項２１】
上記アダプタが、上記消費電力量データ生成ユニットから送信された電流値データの上記設定メモリに設定されたピーク電流設定値に対する割合に応じて警告を行うステップを有することを特徴とする請求項２０の消費電力表示方法。
【請求項２２】
上記アダプタで、履歴メモリに、過去の電流値データと消費電力量データとを時刻データに関連付けて格納するステップと、
消費電力量データを過去の消費電力量データと比較する比較データを生成するステップと、
上記比較データに基づいたビデオデータを生成するステップと、
上記消費電力量データと共に上記表示装置に出力し上記表示装置に表示されるようにするステップとを有することを特徴とする請求項１９乃至請求項２１の内何れか１項記載の消費電力表示方法。
【請求項２３】
上記アダプタの料金体系メモリに格納された電気料金体系データと消費電力量データに従って電気料金データを算出するステップと、
上記電気料金データに基づいたビデオデータを生成するステップと、
上記消費電力量データと共に上記表示装置に出力し上記表示装置に表示されるようにするステップとを有することを特徴とする請求項１９乃至請求項２２の内何れか１項記載の消費電力表示方法。
【請求項２４】
上記アダプタで温度データを検出し、この温度データに基づいたビデオデータを生成するステップと、
上記アダプタで生成したビデオデータを上記表示装置に出力し、上記表示装置に、上記消費電力量と共に温度データを表示できるようにするステップとを有することを特徴とする請求項１４，請求項１９乃至請求項２３の内何れか１項記載の消費電力表示方法。
【請求項２５】
上記アダプタで上記消費電力量データに基づく二酸化炭素の排出量データを算出するステップと、
上記算出された二酸化炭素の排出量データに基づいてビデオデータを生成するステップと、
上記消費電力量データと共に上記表示装置に出力し上記表示装置に表示されるようにするステップとを有することを特徴とする請求項１４，請求項１９乃至請求項２４の内何れか１項記載の消費電力表示方法。
【発明の詳細な説明】
【技術分野】
【０００１】
本発明は、消費電力量を表示装置に表示できるようにする消費電力表示システム及び消費電力表示方法に関する。
【背景技術】
【０００２】
現在、集合住宅の各住戸、一戸建て住宅等の住宅における月々の使用電力量は、電力会社が一般に屋外に設置する電力量計で測定されている。この電力量計は、屋外の引込口配線に接続されるものであるから、当該住宅の居住者にとって見やすい場所に設置されるものではない。
【０００３】
ところで、電力需要の増加や環境問題への配慮から、使用電力量の削減が求められている。このため、家庭内では、例えば、家庭電気機器のスイッチのオンオフをこまめに行ったりして省エネルギーに貢献するようにしている。居住者は、どの程度省エネルギーを達成できたかを、電力会社から提供される検針票の電力使用量や電気料金の金額をもって確認することができる。しかしながら、検針は、原則として、月単位で行われるものであって、居住者は、検針票を見ることによって先月の省エネルギーの程度等を知ることはできても、現在の電力使用量を知ることはできない。現在の電力使用量を知るには、検針のための電力量計を見る他にないが、電力量計は、屋外で軒先等見づらい場所に設置されており、電力使用量を頻繁に確認するには不便である。
【０００４】
下記特許文献１には、家庭内に設置された各電気機器による電力消費の状況を、居住者が明確に知ることができるようにするシステムが記載されている。具体的に、この特許文献１では、家屋内に設置された各電気機器に係る電気料金を、電力会社から家屋へ請求される電力料金と各電気機器の消費電力をもとに算出して、テレビジョン受像機の画面上に表示することが記載されている。しかしながら、この特許文献１のシステムも電気料金に基づいて過去の電力使用量を確認するものであって、今現在の電力使用量を確認するものではない。
【０００５】
各家庭の単位で省エネルギーの意識を更に向上させるには、過去の電力使用量を確認するだけでは不十分であって、更に、現在の電力使用量を確認できるようにすることも重要である。現在の電力使用量を確認する専用端末は存在するが、汎用性に乏しく、各家庭にまでは普及しづらい状況にある。
【０００６】
【特許文献１】特開２００２−４００５５号公報
【発明の開示】
【発明が解決しようとする課題】
【０００７】
本発明は、以上のような問題点に鑑みてなされたものであり、簡単な方法で、現在の電力使用量を確認できる消費電力表示システム及び消費電力表示方法を提供することを目的とする。
【課題を解決するための手段】
【０００８】
本発明に係る消費電力表示システムは、各住宅への引込口配線に接続された電力量計又は住宅の分電盤と言った電力供給部に接続され、現在の消費電力量を示す消費電力量データをデータ生成部で生成し、生成した消費電力量データを送信部より送信する消費電力量データ生成ユニットと、上記電力供給部と屋内配線を介して接続されたコンセントに接続され、上記消費電力量データ生成ユニットから送信された消費電力量データを受信するアダプタとを備える。そして、上記アダプタは、上記消費電力量データ生成ユニットから送信された消費電力量データを受信する受信部と、この受信部で受信した消費電力量データに基づいてビデオデータを生成するビデオ生成部と、このビデオ生成部で生成されたビデオデータを表示装置のビデオ入力部に出力するビデオ出力部とを有し、上記表示装置に、消費電力量を表示できるようにした。
【０００９】
また、本発明に係る消費電力表示方法は、各住宅への引込口配線に接続された電力量計又は住宅の分電盤と言った電力供給部に接続された消費電力量データ生成ユニットで現在の消費電力量を示す消費電力量データを生成するステップと、上記生成した消費電力量データをコンセントに接続されたアダプタに送信するステップと、上記アダプタで上記消費電力量データ生成ユニットから送信された消費電力量データを受信するステップと、上記アダプタで受信した消費電力量データに基づいたビデオデータを生成するステップと、上記アダプタで生成したビデオデータを表示装置に出力し、この表示装置に、消費電力量を表示できるようにするステップとを有する。
【発明の効果】
【００１０】
本発明によれば、各住宅への引込口配線に接続された電力量計又は住宅の分電盤と言った電力供給部に接続された消費電力量データ生成ユニットで現在の消費電力量を示す消費電力量データを生成し、生成した消費電力量データをコンセントに接続されたアダプタに送信し、アダプタで消費電力量データに基づいたビデオデータを生成し、これを表示装置に消費電力量を表示できるようにしたので簡単な方法で、ほぼリアルタイムに電力使用量を確認でき、省エネルギーの意識の向上を図ることができる。また、現在使用されている検針に用いられている電力量計の機能を消費電力量データ生成ユニットに設けることで、現在屋外等に設置されている検針に用いられている電力量計を設置するためのスペースを不要とすることができ、また、今まで電力量計にかかっていた製造、設置、維持のための費用を削減することができ、更に、検針結果の明確な表示を表示装置で行うことができるようになり、居住者（需要家）が容易に確認できるようになる。
【発明を実施するための最良の形態】
【００１１】
図１に示すように、本発明が適用された消費電力量表示システム１は、集合住宅の各住戸、一戸建て住宅等の住宅２において、現在の消費電力量を、各家庭に普及しているテレビジョン受像機といった表示装置に表示させるようにして、各家庭の単位で省エネルギーの意識を向上させようとするものである。
【００１２】
通常、各住宅２には、図１に示すように、電柱３から引込線４で電力が供給される。更に、引込線４は、住宅２の軒先等に取り付けられている引込線取付点５で引込口配線６に接続され、引込口配線６は、検針等に用いられている電力量計７を介して分電盤８に接続される。そして、分電盤８では、引込口配線６から供給された電気を屋内配線９を介して住宅２内の各部屋の壁等に設けられたコンセント２１ａ，２１ｂ，２１ｃ，２１ｄ，・・・（以下、複数のコンセントをまとめてコンセント２１ともいう。）に分配するようになっている。
【００１３】
この消費電力量表示システム１は、上述のように、現在の消費電力量を、各家庭に普及しているテレビジョン受像機といった表示装置に表示させるものであり、このため、電力量計７又は分電盤８に、消費電力量データ生成ユニット１１が設けられ、住宅２の全体で使用される消費電力量を測定するようにしている。なお、ここで説明する消費電力量データ生成ユニット１１は、電力量計７が通常屋外に設置されていることが多いことに鑑み、屋内の分電盤８に設けるようにしている。この消費電力量データ生成ユニット１１では、詳細は後述するが、分電盤８内で、消費電力量を測定し、測定した消費電力量のデータをコンセント２１ａに接続されたアダプタ３１に送信する。そして、アダプタ３１は、消費電力量データを受信し、該アダプタ３１に電気的に接続されたテレビジョン受像機４１に、消費電力量データが表示されるようにする。
【００１４】
すなわち、住宅２内のコンセント２１には、様々な電気機器等の負荷２２が接続されるが、図１の例では、コンセント２１ａに、アダプタ３１を介して表示装置であるテレビジョン受像機４１が接続され、その他のコンセント２１ｂ，２１ｃ，２１ｄ，・・・には、照明器具、冷蔵庫、洗濯機といった電気機器等の負荷２２が接続されている。
【００１５】
分電盤８に設けられる消費電力量データ生成ユニット１１は、図２に示すように、分電盤８に入力される電力を測定する電力量測定部１２と、この電力量測定部１２で測定された消費電力量に基づいた消費電力量データを生成するデータ生成部１３と、データ生成部１３で生成された消費電力量データを送信する送信部１４とを備える。
【００１６】
電力量測定部１２は、分電盤８内において、電圧と住宅全体に供給される電流を測定して住宅２の全体の消費電力を測定する。具体的に、分電盤８は、一般に、アンペアブレーカ、次に漏電遮断器が設けられ、最後に各部屋のコンセントに電流を分配する配電用遮断器が設けられている。したがって、電力量測定部１２は、漏電遮断器の前又は後の電流をＣＴ（Current Transformer）等の電流センサで測定すると共に、分電盤８内の電圧線と中性線又は電圧線間の電圧を電圧測定器で測定して、これらを乗算することによって住宅２の全体の消費電力を測定する。
【００１７】
ここで、住宅２には、検針用の電力量計７が設けられているが、この電力量計７は、検針に用いられることから、公的試験機関で認証された精度の高いものが用いられている。これに対して、消費電力量データ生成ユニット１１の電力量測定部１２は、テレビジョン受像機４１に現在の消費電力量を表示するために用いられるものであるから、検針用の電力量計７に比べ精度が低く、簡易なものであっても良い。また、この電力量測定部１２は、住宅２の全体の消費電力量が測定できれば良いことから、電力量計７と分電盤８の間のどの位置に接続しても良く、また、省略して、電力量計７を用いても良い。また、電力量測定部１２に精度が高い装置を用いる場合には、電力量計７を省略し、この電力量計７の機能を電力量測定部１２に設けるようにしても良い。これにより、電力量計７を設置するためのスペースを不要とすることができ、また、今まで電力量計７にかかっていた製造、設置、維持のための費用を削減することができる。
【００１８】
データ生成部１３は、電力量測定部１２で測定された消費電力量に基づいて送信部１４よりアダプタ３１に送信するための消費電力量データを生成する。そして、データ生成部１３は、送信部１４よりアダプタ３１に消費電力量データを送信するための変調処理等を施して送信データを生成する。これにより、例えば、電力量測定部１２で測定された消費電力量を、略実時間で、アダプタ３１に送信し、テレビジョン受像機４１に表示できるようにすることができる。
【００１９】
ここで、消費電力量データ生成ユニット１１とアダプタ３１との間の通信には、有線でも良いが、ここでは無線、特に省電力の短距離無線通信、例えばＩＥＥＥ８０２．１５．４規格に準拠したＺｉｇＢｅｅ（登録商標）が用いられる。この場合、データ生成部１３では、このＺｉｇＢｅｅに準拠した送信データを生成し、アンテナ等で構成された送信部１４より消費電力量データを送信できるようにする。なお、ここで用いる通信には、ＺｉｇＢｅｅのように、省電力の短距離無線通信機能に加え、ネットワークの自動構築機能を付加することによって、消費電力量データ生成ユニット１１とアダプタ３１とで構成される消費電力量表示システム１の住宅２への取付工事を容易に行うことができる。
【００２０】
なお、消費電力量データ生成ユニット１１とアダプタ３１との間の通信には、ＺｉｇＢｅｅの他に、ブルートゥース、赤外線を利用したＩｒＤＡ（Infrared Data Association）等を用いても良く、また、ＵＳＢ（Universal Serial Bus）、ＩＥＥＥ１３９４、ＩＥＥＥ８０２、ＰＬＣ（Power Line Communications）等を用いても良い。
【００２１】
消費電力量データ生成ユニット１１とアダプタ３１との間の通信に省電力の短距離無線通信を用いる場合、データ生成部１３のタイマ１３ａが５秒、１０秒、１分といった比較的短い単位で所定時間間隔を計時し、データ生成部１３は、省電力のため、所定時間間隔で消費電力量データを生成し、この消費電力量データに基づいた送信データを生成し、リアルタイムに近い状態で送信部１４より送信する。なお、データ生成部１３のメモリ１３ｂには、所定時刻からの電気の使用量を表す積算消費電力量データ等も格納し、消費電力量データと共に積算消費電力量データを送信部１４より送信するようにしても良い。また、タイマ１３ａで、時刻を計時し、現在時刻データを、アダプタ３１に送信するようにしても良い。
【００２２】
更に、消費電力量データ生成ユニット１１には、操作を行う操作部１５と、消費電力量データ生成ユニット１１の周辺の温度を測定する温度検出部１６とが設けられている。操作部１５は、例えば筐体に設けられた押しボタン等でなり、電源ボタン、積算消費電力量のリセットボタン等で構成されている。
【００２３】
温度検出部１６は、熱電対等で形成されており、消費電力量データ生成ユニット１１の周辺の温度を測定する。温度検出部１６で測定された温度データは、データ生成部１３に入力され、略実時間又は所定時間間隔で消費電力量データをアダプタ３１に送信するとき、温度データの送信データも生成する。なお、温度検出部１６は、消費電力量データ生成ユニット１１を分電盤８に設けた場合、分電盤８は屋内に設けられていることが多いことから室温を測定することになるが、消費電力量データ生成ユニット１１を屋外の電力量計７に設けた場合には、外気温を測定することができる。また、この温度検出部１６は、後述する変形例のように、アダプタ３１に設け、アダプタ３１が置かれた環境の温度を測定するようにしても良い。
【００２４】
なお、この消費電力量データ生成ユニット１１の電源は、分電盤８の配線より供給されるようにしても良く、また、電池によって供給されるようにしても良い。
【００２５】
図３に示すように、コンセント２１は、屋内配線９に接続され、負荷２２のプラグが差し込まれる挿入孔２３が設けられている。図１の例では、コンセント２１ａにアダプタ３１を介して負荷となるテレビジョン受像機４１が接続されている。コンセント２１ａに接続されるアダプタ３１は、図３に示すように、コンセント２１ａの挿入孔２３に差し込まれるプラグ３２とアダプタ３１の更に先に接続される負荷、ここではテレビジョン受像機４１のプラグ４２が差し込まれる挿入孔３３とが設けられ、プラグ３２と挿入孔３３内のプラグの刃受けとが電気的に接続されている。
【００２６】
このアダプタ３１は、更に、消費電力量データ生成ユニット１１から送信された消費電力量データ等を受信する受信部３４と、テレビジョン受像機４１に消費電力量データ等を表示するためのビデオデータを生成するためのビデオ生成部３５と、このビデオ生成部３５に接続されるビデオ出力端子３６とを備えている。
【００２７】
受信部３４は、アンテナや復調手段等を備えており、消費電力量データ生成ユニット１１の送信部１４から短距離無線通信で送信されたデータを受信すると、復調処理等を行ってビデオ生成部３５に出力する。ビデオ生成部３５は、受信部３４より入力された消費電力量データ、温度データ、現在時刻データ等に基づいて、テレビジョン受像機４１に表示するためのビデオデータを生成する。具体的に、ビデオ生成部３５は、キャラクタジェネレータ等を有しており、受信部３４より入力された消費電力量データ、温度データ、現在時刻データ等に応じた英数字・カナ文字・記号等の文字データを生成し、ビデオ出力端子３６より、ＮＴＳＣ等の方式でアナログ出力されるようにする。なお、ビデオ生成部３５は、これらのデータを文字の他に、表やグラフで表示するようにしても良い。ビデオ出力端子３６は、有線のＡＶケーブル３７によってテレビジョン受像機４１のビデオ入力端子４５に接続される。なお、テレビジョン受像機４１には、ディジタル出力するようにしても良く、また、無線で接続されても良い。また、アダプタ３１の電源は、プラグ３２と挿入孔３３内のプラグの刃受けの間から供給されるようにしても良い他、電池によって供給されるようにしても良い。
【００２８】
以上のように構成されたアダプタ３１には、テレビジョン受像機４１が接続される。具体的に、アダプタ３１の挿入孔３３には、テレビジョン受像機４１のプラグ４２が接続されてテレビジョン受像機４１の電源部４３に電源が供給されるようになっている。また、このアダプタ３１は、ビデオ出力端子３６によってテレビジョン受像機４１と接続される
ことになる。
【００２９】
アダプタ３１に接続されるテレビジョン受像機４１は、図３に示すように、プラグ４２と接続された電源部４３の他に、テレビジョン信号を受信するためのチューナ４４と、ビデオデータが入力されるビデオ入力端子４５と、チューナ４４とビデオ入力端子４５とを選択的に切り換えるスイッチ４６と、テレビジョン映像、ビデオ映像等を表示するブラウン管、液晶表示装置、プラズマ表示装置、有機ＥＬディスプレイ（ElectroLuminescent Display）を用いた表示装置といった表示部４７と、チャンネル等を切り換えるための操作部４８と、操作部４８からの入力に応じて全体の動作を切り換える制御部４９とを備えている。
【００３０】
チューナ４４は、アナログ放送及び／又はディジタル放送において、ユーザの操作に応じたチャンネルを選択し、選択されたチャンネルのテレビジョン信号を受信し、これを表示部４７に表示する。
【００３１】
ビデオ入力端子４５は、通常、テレビジョン受像機４１には複数設けられたアナログの入力端子である。ここでは、複数のビデオ入力端子４５の中の一がアダプタ３１のビデオ出力端子３６と接続されている。ビデオ入力端子４５は、電源部４３に電力を供給するアダプタ３１のビデオ入出力端子３６とＡＶケーブル３７で接続されたとき、このＡＶケーブル３７の長さを短くすることができる。なお、その他のビデオ入力端子４５は、ＶＴＲ、ゲーム機等の映像再生装置と接続されている。
【００３２】
スイッチ４６は、チューナ４４と表示部４７との間及びビデオ入力端子４５と表示部４７との間に設けられており、チューナ４４とビデオ入力端子４５とを選択的に切り換える。
【００３３】
操作部４８は、テレビジョン受像機４１の筐体の一部や遠隔操作装置で構成されており、電源のオンオフ、チューナ４４のチャンネル選択、チューナ４４とビデオ入力端子４５との切換のための操作を行うものであり、制御部４９は、操作部４８からの入力に基づいてチューナ４４やスイッチ４６を切り換える。例えば、ユーザが現在の消費電力量を見るときには、操作部４８でアダプタ３１と接続されたビデオ入力端子４５が選択されることによって、ビデオ入力端子４５と表示部４７とが接続され、アダプタ３１で生成されたビデオデータが表示されるようになる。
【００３４】
すなわち、このテレビジョン受像機４１は、ＶＴＲ、ゲーム機等の映像再生装置が接続されていない空きのビデオ入力端子４５にアダプタ３１のビデオ出力端子３６を接続するようにして、ユーザが現在の消費電力量を見ることができるようにする。
【００３５】
次に、本発明が適用された消費電力量表示システム１の動作について図４を参照して説明する。
【００３６】
先ず、消費電力量データ生成ユニット１１では、ステップＳ１において、分電盤８内に設けられた電力量測定部１２で現在の消費電力量を常時測定している。そして、データ生成部１３は、所定時間からの電気使用量を示す積算消費電力量データを生成し、生成した積算消費電力量データをメモリ１３ｂに順次格納し又は更新する。ステップＳ２において、データ生成部１３は、タイマ１３ａで計時することによって、５秒、１０秒、１分といった短い単位で所定時間を経過したかどうかを判断し、所定時間を経過したとき、ステップＳ３に進み、経過していないとき、ステップＳ２を繰り返す。
【００３７】
所定時間を経過したとき、ステップＳ３において、データ生成部１３は、所定時間経過時点の電力量測定部１２が測定した消費電力量データ、メモリ１３ｂに格納された単位時間当たりの積算電力量データ、現在時刻データ、温度検出部１６が検出した温度データ等に対して変調処理等の送信処理を行って送信データを生成し、ステップＳ４において、アダプタ３１に短距離無線通信で送信する。すなわち、消費電力量データ生成ユニット１１は、所定時間毎に、これらのデータを送信部１４よりアダプタ３１に送信する。
【００３８】
アダプタ３１では、ステップＳ１１において、消費電力量データ生成ユニット１１からの送信データを受信部３４で受信すると、受信処理を行って、受信処理されたデータをビデオ生成部３５に出力する。ステップＳ１２において、ビデオ生成部３５では、消費電力量データ生成ユニット１１から送信された電力量測定部１２が測定した消費電力量データ、メモリ１３ｂに格納された単位時間当たりの積算電力量データ、現在時刻データ、温度検出部１６が検出した温度データ等を文字等で表示するためのビデオデータを生成する。
【００３９】
テレビジョン受像機４１において、操作部４８を操作することによって、アダプタ３１と接続されたビデオ入力端子４５が選択されているとき、表示部４７には、図５に示すように、消費電力量データ生成ユニット１１から送信された電力量測定部１２が測定した消費電力量データ（図５中「5121W」）、メモリ１３ｂに格納された積算電力量データ（図５中「596kW」）、現在時刻データ（図５中「DATE:06/11/16 TIME: 13:03:55）、温度検出部１６が検出した温度データ（図５中「20℃」）等を文字が表示されることになる。かくして、ユーザは、現在の電力使用量を確認できる。
【００４０】
以上のような消費電力量表示システム１では、住宅２の電力量計７又は分電盤８に消費電力量データ生成ユニット１１を取り付けることによって、住宅２の全体の消費電力量を測定することができ、また、ＩＥＥＥ８０２．１５．４規格に準拠したＺｉｇＢｅｅ（登録商標）を用いることによって取付工事を容易に行うことができる。また、アダプタ３１は、単に、コンセント２１に接続するものであるから、取付が極めて容易である。更に、アダプタ３１は、テレビジョン受像機４１の空きのビデオ入力端子４５にアダプタ３１のビデオ出力端子３６を接続すれば良いことから、既にテレビジョン受像機４１のビデオ入力端子４５に接続されている映像再生装置を取り外すことなく、テレビジョン受像機４１のビデオ入力端子４５に接続することができ、アダプタ３１と接続されたビデオ入力端子４５を選択するだけで、表示部４７で現在の電力使用量を確認できる。
【００４１】
以上のように、消費電力量表示システム１は、簡単に、既存の住宅設備に付加することができ、そして、現在の消費電力量をテレビジョン受像機４１に表示するようにして、ユーザの省エネルギーの意識の向上を図ることができる。
【００４２】
なお、以上の例では、アダプタ３１をテレビジョン受像機４１が接続されるコンセント２１ａに接続する場合を説明したが、この他に、テレビジョン受像機４１のプラグ４２をコンセント２１ａに直接接続し、コンセント２１ｂ〜２１ｄの何れかにアダプタ３１を接続し、アダプタ３１のビデオ出力端子３６とテレビジョン受像機４１のビデオ入力端子４５とを有線又は無線で接続するようにしても良い。また、アダプタ３１は、コンセント２１に対して外付けではなく、壁付きのコンセント２１に内蔵されるものであっても良い。更に、アダプタ３１は、コンセント２１ａに直接的にプラグ３２を接続する他に、電源コードによってコンセント２１ａと接続するようにし、例えば、コンセント２１ａと離れた
位置で、例えばテレビジョン受像機４１のより近くに配置できるようにしても良い。
【００４３】
また、以上の例では、消費電力量データ生成ユニット１１で生成された消費電力量データ、単位時間当たりの積算電力量データ、現在時刻データ、温度データを消費電力量データ生成ユニット１１からアダプタ３１に送信する場合を説明したが、アダプタ３１に送信するデータは、消費電力量データの他は特に限定されるものではない。例えば、地震検知センサ、煙・火災センサ、ドア・窓開閉センサ、漏水センサ、漏電センサ、ガス漏れセンサ等の防災防犯用センサでの検出信号を各検出器からアダプタ３１に送信し、これをテレビジョン受像機４１の表示部４７に消費電力量と共に表示するようにしても良い。この場合、各種センサは、上述のようにＺｉｇＢｅｅ（登録商標）等の短距離無線通信で消費電力量データ生成ユニット１１やアダプタ３１と通信し、消費電力量データ生成ユニット１１、アダプタ３１の内で通信状態の良い、すなわち電界強度が高い方と通信を行う。したがって、各種センサが消費電力量データ生成ユニット１１と通信を行うとき、各種センサで生成された検出データは、消費電力量データ生成ユニット１１を経由してアダプタ３１に送信されることになる。消費電力量を含むこのようなデータは、比較的単純な情報であることから、高価な専用の表示装置を用いるまでもなく、住宅２内に既にあるテレビジョン受像機４１を用いて表示することができ、このように種々のデータをテレビジョン受像機４１に表示するようにしたことで、居住者（需要者）になじみやすくより一層普及させることができる。
【００４４】
更に、以上の例では、表示装置となるテレビジョン受像機４１のビデオ入力端子４５に入力された消費電力量データ等を、チューナで選択されているチャンネルの番組データ上に重畳して、これを表示部４７に表示するようにしても良い。これにより、ユーザは、ビデオ入力に切り換えることなく、現在見ている番組を見ながら現在の消費電力量を確認することができる。更に、表示装置は、テレビジョン受像機４１に代わって、チューナを内蔵しない例えばパーソナルコンピュータの表示装置等を用いても良い。
【００４５】
更に、以上の例では、住宅２の全体の消費電力量を分電盤８内で測定する場合を説明したが、これを、住宅２の１階部分と２階部分と言ったようにフロア毎に、又は部屋毎に消費電力量を測定し、住宅２内のテレビジョン受像機４１、例えば消費電力量を測定している１階や２階にあるテレビジョン受像機４１、消費電力量を測定している部屋にあるテレビジョン受像機４１等に表示するようにしても良い。この場合、例えば、アダプタ３１は、テレビジョン受像機４１の近くのコンセント２１に接続されることになる。そして、分電盤８内の測定するフロアや部屋に対応する配電用遮断器の部分の電流を測定することによって、電力量測定部１２で、測定するフロアや部屋の消費電力量を測定することができる。
【００４６】
次に、本発明の変形例を図１を参照して説明する。ここで説明する変形例において、アダプタ３１は、電源コードによってコンセント２１ａと接続され、例えばテレビジョン受像機４１の近くに配置される。また、テレビジョン受像機４１もアダプタ３１の電源コードとは別のコンセント２１に接続される。そして、アダプタ３１とテレビジョン受像機４１とは、ＡＶケーブル３７で接続される。
【００４７】
また、ここで説明する変形例では、消費電力量データ生成ユニット１１が図２で示した消費電力量データ生成ユニット１１と異なり、メモリ１３ｂを備えておらず、積算消費電力量データを保存しない。この代わりに、この変形例では、アダプタ３１で積算消費電力量データを生成し、メモリに保存するようにしている。
【００４８】
ここで、ここでの変形例で用いられる消費電力量データ生成ユニット１１を図６を参照して説明すると、この消費電力量データ生成ユニット１１は、分電盤８に入力される電力を測定する電力量測定部１２と、この電力量測定部１２で測定された消費電力量に基づいた消費電力量データを生成するデータ生成部１３と、データ生成部１３で生成された消費電力量データを送信する送信部１４とを備える。そして、電力量測定部１２は、漏電遮断器の前又は後の電流をＣＴ等の電流センサで測定すると共に、分電盤８内の電圧線と中性線又は電圧線間の電圧を電圧測定器で測定して、これらを乗算することによって住宅２の全体の消費電力を測定する。
【００４９】
データ生成部１３は、電力量測定部１２で測定された消費電力量に基づいて送信部１４よりアダプタ３１に送信するための消費電力量データを生成する。また、データ生成部１３は、電力量測定部１２の電流センサが検出した電流量に基づいて電流値データを生成する。
【００５０】
この変形例における消費電力量データ生成ユニット１１は、タイマ１３ａで計時しており、送信部１４は、例えば１分間隔で、データ生成部１３が生成した消費電力量データと電流値データをアダプタ３１に送信する。この際、送信部１４は、消費電力量データの計測時の時刻データも消費電力量データ及び電流値データと合わせて送信し、アダプタ３１で消費電力量データ及び電流値データを時刻データと関連付けて保存できるようにする。すなわち、消費電力量データ及び電流値データが何時の時点の値であるかを管理できるようにする。
【００５１】
送信部１４は、以上のような１分間隔の送信処理に加えて、データ生成部１３より入力される電流値データを監視し、電流値データが所定幅（例えば±１Ａ）以上変動したとき、消費電力量データ及び電流値データをその時の時刻データと合わせてアダプタ３１に送信する。
【００５２】
なお、この消費電力量データ生成ユニット１１の電源は、分電盤８の配線より供給されるようにしても良く、また、電池によって供給されるようにしても良い。
【００５３】
また、この変形例におけるアダプタ３１は、図７に示すように、消費電力量の目標値や電流の使用量に合わせて警告するためのピーク電流設定値を格納する設定メモリ５１と、過去の消費電力量データと電流値データとを時刻データに関連付けて保存する履歴メモリ５２と、電気料金体系データを格納する料金体系メモリ５３と、アダプタ３１が置かれた場所の温度を測定する温度検出部５４と、設定値等を入力するための操作部５５と、警告等を可聴音で放音するスピーカ５６と、一又は複数のＬＥＤ（Light Emitting Diode）等で構成され電流使用量に応じて複数の色に点灯する点灯部５７と、全体の動作を制御する制御部５８とを備えている。なお、操作部５５は、例えば押しボタンで構成された十字の方向キーと決定キーとで構成され、押されたボタンに応じた操作信号を制御部５８に入力する。
【００５４】
また、アダプタ３１は、消費電力量データ生成ユニット１１から送信された消費電力量データ、電流値データ、時刻データ等を受信する受信部３４と、テレビジョン受像機４１に消費電力量データ等を表示するためのビデオデータを生成するためのビデオ生成部３５と、このビデオ生成部３５に接続されるビデオ出力端子３６とを備えている。
【００５５】
設定メモリ５１は、消費電力量の目標値を格納する。具体的に、月毎の消費電力量の目標値を格納する。この消費電力目標値は、ユーザが操作部５５を操作することによって入力されるデータであり、テレビジョン受像機４１の表示部４７に表示される。
【００５６】
また、設定メモリ５１は、ピーク電流設定値が格納される。このピーク電流設定値は、ユーザが操作部５５を操作することによって入力されるデータである。このピーク電流設定値は、電流の使用量に合わせて警告する際に用いられるデータである。制御部５８は、受信部３４から入力される電流値データを監視し受信部３４から入力される電流値データのピーク電流設定値に対する割合に応じて点灯部５７を点灯する。制御部５８は、例えば、電流値データのピーク電流設定値に対する割合２０％以下のとき青色で点灯部５７を点灯し、４０％以下のとき、緑色で点灯部５７を点灯し、８０％以下のとき黄色で点灯部５７を点灯し、１００％以下のとき橙色で点灯部５７を点灯し、１００％を超えるとき赤色で点灯部５７を点灯する。また、制御部５８は、１００％を超えたとき、スピーカ５６より「電気の使いすぎです」といった警告メッセージを放音する。なお、警告としては、ビープ音等であってもよい。また、この警告は、テレビジョン受像機４１の表示部４７に行うようにし、また、テレビジョン受像機４１のスピーカから警告音を放音するようにしても良い。
【００５７】
履歴メモリ５２は、消費電力量データ生成ユニット１１から送信され受信部３４で受信した消費電力量データと電流値データとを時刻データに関連付けて保存する。制御部５８は、履歴データとなる履歴メモリ５２より過去の時刻データに関連付けられた消費電力量データを読み出すことによって、例えば今月の積算消費電力量データを生成し、また、前年同月の積算消費電力量データを生成する。そして、制御部５８は、例えば今月の積算消費電力量データと前年同月や指定した月の積算消費電力量データとを折れ線グラフ等で示す比較データを生成し、ビデオ生成部３５で比較データに基づいたビデオデータを生成し、テレビジョン受像機４１の表示部４７に表示できるようにする。また、制御部５８は、今年の積算消費電力量データと前年の積算消費電力量データとを折れ線グラフ等で示す比較データを生成し、テレビジョン受像機４１の表示部４７に表示できるようにする。また、制御部５８は、今日とユーザが指定した日の消費電力量データの差を算出し、テレビジョン受像機４１の表示部４７に表示できるようにする。
【００５８】
また、制御部５８は、今月の積算消費電力量データを生成し、二酸化炭素排出量を算出する際に用いられる係数を乗じることによって二酸化炭素排出量データを生成し、ビデオ生成部３５で二酸化炭素排出量データに基づいたビデオデータを生成し、テレビジョン受像機４１の表示部４７に表示できるようにする。また、制御部５８は、設定メモリ５１に設定されている今月の消費電力目標値と今月の積算消費電力量データとに基づいて省エネルギの程度を示す省エネ度を算出する。この省エネ度は、例えば次の算出式によって算出される。
省エネ度＝（今月の消費電力目標値÷今月の積算消費電力量）×１００
料金体系メモリ５３は、電気料金体系に関するデータを格納している。制御部５８は、例えば今月の電気代データを、例えば１か月分の積算消費電力量データを用いて算出し、ビデオ生成部３５で電気代データに基づいたビデオデータを生成し、テレビジョン受像機４１の表示部４７に表示できるようにする。
【００５９】
温度検出部５４は、熱電対等で形成されており、アダプタ３１の周辺の温度を測定する。温度検出部５４で生成された温度データは、ビデオ生成部３５を介してテレビジョン受像機４１の表示部４７に表示される。
【００６０】
なお、制御部５８は、タイマ５８ａを有しており、現在時刻をテレビジョン受像機４１の表示部４７に表示できるようにもしている。
【００６１】
以上のように構成されたアダプタ３１は、例えば図８のような形状をしている。すなわち、アダプタ３１は、例えばモールド成型された筐体を有し、この筐体に操作部５５やスピーカ５６を設けるようにしている。また、筐体は、光透過性を有し、上面の点灯部５７がＬＥＤの発光色に応じて光るようになっている。また、アダプタ３１には、電源コード５９が設けられており、コンセント２１と接続されるようになっている。
【００６２】
以上のように変形例として説明した消費電力量表示システムでは、消費電力量データ生成ユニット１１において、電力量測定部１２で測定された消費電力量データを送信部１４より所定間隔毎（１分毎）に、消費電力計測時の時刻データに関連付けて消費電力量データ及び電流値データをアダプタ３１に送信する。また、消費電力量データ生成ユニット１１は、電流値データが所定幅（例えば±１Ａ）以上変動したとき、そのときの時刻データに関連付けて消費電力量データ及び電流値データをアダプタ３１に送信する。
【００６３】
アダプタ３１において、制御部５８は、受信部３４で時刻データに関連づいた消費電力量データ及び電流値データを受信すると、受信したデータを履歴メモリ５２に保存する。
【００６４】
また、アダプタ３１では、受信部３４が受信した消費電力量データ等の各種データを略実時間で表示できるように、受信した各種データに基づいてビデオ生成部３５でビデオデータを生成し、アダプタ３１がビデオ入力端子４５に接続されたテレビジョン受像機４１に表示されるようにする。ここで、図９は、テレビジョン受像機４１がビデオ入力端子４５が選択された状態において、表示部４７に表示される表示画面を示す図である。図９では、現在の電気使用量を示している。画面上段部には、タイマ５８ａが計時した、現在の日時、時刻、更に、温度検出部５４が測定した現在の温度が表示される。また、画面上段部には、現在の消費電力が瞬時値で表示され、また、制御部５８が算出した省エネ度が表示される。
【００６５】
画面中段部には、制御部５８で生成した積算した電力量、二酸化炭素排出量、電気料金のそれぞれについて、制御部５８で演算して生成した本日の積算した消費電力量と今月の積算した消費電力量と今月の目標値が表示される。なお、目標値における二酸化炭素排出量と電気料金は、設定メモリ５１に設定された消費電力量の目標値に基づいて制御部５８で算出さる。
【００６６】
更に、画面下段部には、制御部５８が履歴メモリ５２にアクセスして生成したで比較データを表示する。ここでは、具体的に、今月と前年同月との比較グラフを表示している。
【００６７】
なお、表示する情報としては、これに限定されるものではなく、この他に、制御部５８が履歴メモリ５２にアクセスして生成した今日とユーザが指定した日の消費電力量データの差を表示するようにしても良い。また、表示する画面は、今月と前年同月との積算の消費電力や二酸化炭素排出量や電気代を比較して表示するようにしても良い。また、図１に示した電力量計７の値を、アダプタ３１の操作部５５で入力して、画面に表示するようにしても良い。
【００６８】
以上、本発明の変形例として説明した消費電力量表示システム１では、先に説明した例よりも、消費電力量データ生成ユニット１１では、電圧と電流の計測と消費電力の演算を行うのみであるから、構成の簡素化を図ることができる。また、この消費電力量表示システム１では、使用電力量の削減に当たって参考となる情報（電気代、二酸化炭素排出量等）をより多くテレビジョン受像機４１に表示することができる。また、アダプタ３１では、使用電流について、消費電力量データ生成ユニット１１から所定間隔毎についてアダプタ３１に送信されるほか、所定幅以上変動があったときにもアダプタ３１に送信され、この送信された電流値データに基づいて、ピーク電流設定値に対する割合に応じて点灯部５７を点灯してユーザに対して警告を行うようにしたので、一層省エネルギーに対する意識を高めることができる。
【図面の簡単な説明】
【００６９】
【図１】本発明が適用された消費電力量表示システムが用いられる住宅の配線を示す図である。
【図２】上記消費電力量表示システムに用いられる消費電力量データ生成ユニットのブロック図である。
【図３】上記消費電力量表示システムに用いられるアダプタ及びテレビジョン受像機のブロック図である。
【図４】本発明が適用された消費電力量表示システムの動作を示すフローチャートである。
【図５】テレビジョン受像機での表示例を示す図である。
【図６】消費電力量データ生成ユニットの変形例を示すブロック図である。
【図７】アダプタの変形例を示すブロック図である。
【図８】アダプタの外観を示す斜視図である。
【図９】アダプタで生成されたビデオデータの表示画面を示す図である。
【符号の説明】
【００７０】
１ 消費電力量表示システム、２ 住宅、３ 電柱、４ 引込線、５ 引込線取付点、６ 引込口配線、７ 電力量計、８ 分電盤、９ 屋内配線、１１ 消費電力量データ生成ユニット、１２ 電力量測定部、１３ データ生成部、１３ａ タイマ、１３ｂ メモリ、１４ 送信部、１５ 操作部、１６ 温度検出部、２１（２１ａ〜２１ｄ） コンセント、２２ 負荷、２３ 挿入孔、３１ アダプタ、３２ プラグ、３３ 挿入孔、３４ 受信部、３５ ビデオ生成部、３６ ビデオ出力端子、３７ ＡＶケーブル、４１ テレビジョン受像機、４２ プラグ、４３ 電源部、４４ チューナ、４５ ビデオ入力端子、４６ スイッチ、４７ 表示部、４８ 操作部、４９ 制御部、５１ 設定メモリ、５２ 履歴メモリ、５３ 料金体系メモリ、５４ 温度検出部、５５ 操作部、５６ スピーカ、５７ 点灯部、５８ 制御部、５８ａ タイマ、５９ 電源コード
【図１】
2008216243.tif 000003
【図２】
2008216243.tif 000004
【図３】
2008216243.tif 000005
【図４】
2008216243.tif 000006
【図５】
2008216243.tif 000007
【図６】
2008216243.tif 000008
【図７】
2008216243.tif 000009
【図８】
2008216243.tif 000010
【図９】
2008216243.tif 000011